(57)【要約】【課題】本発明は、無線電気通信網の隣接セルに位置するＵＥに、コグニティブパイロットチャネル（ＣＰＣ）を通して、少なくとも２つの異なる基地局によって伝送される信号間の干渉を回避する方法である。【解決手段】方法は、各セルが、複数のメッシュを含み、前記信号の送信電力が、最小レベルから最大レベルの間の様々なレベルに調整可能である方法に関する。本発明による方法は、前記基地局が、同時にそれぞれの最大送信電力レベルで信号を伝送しないように前記基地局を同期化することからなるステップを含む。【選択図】図３
2012532482.tif 000002
【特許請求の範囲】
【請求項１】
少なくとも２つの異なる基地局からの信号の送信電力を調整する方法であって、
前記基地局が、同時にそれぞれの最大送信電力レベルで信号を伝送しないように前記基地局を同期化するステップと、
調整した電力により信号を送信するステップを含む方法。
【請求項２】
信号の前記送信電力が、最小レベルから最大レベルの間の様々なレベルに調整可能である請求項１に記載の方法。
【請求項３】
−  セルの各メッシュＭｉから、前記セルに位置する基地局への距離ｄｉを決定するステップと、
−  前記距離ｄｉに従って、各メッシュＭｉの送信電力Ｐｉを算出するステップと、
−  各基地局の送信電力Ｐｉを、隣接セルの外縁部近くで干渉を最小限に抑える値に動的に調整するステップと、
−  前記送信電力Ｐｉで、各メッシュＭｉに前記信号を送信するステップを更に含む請求項１又は２に記載の方法。
【請求項４】
前記信号が、利用可能なオペレータ及び／又は無線アクセス技術（ＲＡＴ）及び／又は利用可能な周波数を含む請求項１、２又は３に記載の方法。
【請求項５】
前記信号が、コグニティブパイロットチャネルを通して送信される請求項１、２、３又は４に記載の方法。
【請求項６】
前記送信電力Ｐｉが、前記距離ｄｉに反比例する請求項３、４又は５に記載の方法。
【請求項７】
メッシュＭｉの算出送信電力Ｐｉが、前記メッシュＭｉのトポグラフィに応じて減衰パラメータが加重される請求項３、４、５又は６に記載の方法。
【請求項８】
減衰パラメータが、ＣＰＣセル配備を設計する時に推定され、かつルックアップテーブルに記憶される請求項７に記載の方法。
【請求項９】
セル内の信号の送信電力が、最大レベルに等しい場合、隣接セル内の信号の送信電力が、前記最大レベルよりも低いレベルに調整される請求項２に記載の方法。
【請求項１０】
信号を送信する基地局であって、
第２基地局が、最大送信電力で信号を送信する時に、前記基地局が、最大送信電力で信号を伝送しないように前記基地局を同期化する手段を含む基地局。
【請求項１１】
前記基地局及び前記第２基地局が、各々異なるセルに位置し、かつ前記セルが、隣接して位置する請求項１０に記載の基地局。
【請求項１２】
信号の送信電力を調整する手段を更に含み、
信号の前記送信電力が、最小レベルから最大レベルの間の様々なレベルに調整可能である請求項１０又は１１に記載の基地局。
【請求項１３】
−  セルの各メッシュＭｉから、前記セルに位置する基地局への距離ｄｉを決定する手段と、
−  前記距離ｄｉに従って、各メッシュＭｉの送信電力Ｐｉを算出する手段と、
−  各基地局の送信電力Ｐｉを、隣接セルの外縁部近くで干渉を最小限に抑える値に動的に調整する手段と、
−  前記送信電力Ｐｉで、各メッシュＭｉに前記信号を送信する手段とを更に含む請求項１０、１１又は１２に記載の基地局。
【請求項１４】
前記信号が、利用可能なオペレータ及び／又は無線アクセス技術（ＲＡＴ）及び／又は利用可能な周波数を含む請求項１０、１１、１２又は１３に記載の基地局。
【請求項１５】
前記信号が、コグニティブパイロットチャネルを通して送信される請求項１０、１１、１２、１３又は１４に記載の基地局。
【発明の詳細な説明】
【技術分野】
【０００１】
本発明は、電気通信分野に関連し、かつ無線電気通信網の隣接セルに位置するＵＥに、コグニティブパイロットチャネル（ＣＰＣ）を通して、少なくとも２つの異なる基地局によって伝送される信号間の干渉を回避する方法であって、各セルが、複数のメッシュを含み、前記メッシュへの前記信号の送信電力が、最小レベルから最大レベルの間の様々なレベルに調整可能である方法に関する。
【０００２】
本発明は、複数の隣接セルを含む地理的エリア内でコグニティブパイロットチャネル（ＣＰＣ）を送信する基地局にも関する。
【背景技術】
【０００３】
コグニティブパイロットチャネル（ＣＰＣ）は、地理的エリア内で利用可能なオペレータ、無線アクセス技術（ＲＡＴ）及び利用可能な周波数に関してコグニティブモバイルに情報を提供するためにコグニティブ無線で使用される概念である。
【０００４】
コグニティブパイロットチャネルの２つの主要概念が、Ｅ３プロジェクト及びＥＴＳＩ  ＲＲＳ  Ｇｒｏｕｐによって提案されている：メッシュベース、及び最適化送信アプローチである。
−  メッシュベースの概念
地理的エリア内のセルが複数のメッシュに分割され、かつ各メッシュ内で利用可能なオペレータ、ＲＡＴ及び周波数に関して情報が提供される。
【０００５】
最適化送信の概念
セル内で利用可能な全てのＲＡＴ及び周波数に関する情報が伝送される。
【０００６】
図１は、少なくとも１つの無線電気通信網によってカバーされる地理的エリア８内の、それぞれ２、４及び６で参照される３つのセルを表す。
【０００７】
セル２は、基地局１０と、外縁部に位置するメッシュ１２とを含む。セル４は、基地局１４と、外縁部に位置するメッシュ１６とを含む。セル６は、基地局１８と、外縁部に位置するメッシュ２０とを含む。
【発明の概要】
【発明が解決しようとする課題】
【０００８】
基地局１０、１４及び１６が高い送信電力でＣＰＣチャネル信号を同時に送信する場合、メッシュ１２、１６及び２０に位置するＵＥによるＣＰＣ情報の受信は、隣接セルに位置する全基地局が送信する信号をこれらＵＥが受信することを起因とする干渉によって影響を受け得ることから、技術的課題が生じる。
【０００９】
本発明は、前記干渉の低減を目指す。
【００１０】
本発明による方法の基本概念は、各基地局の送信電力を同期的に制御及び調整することからなる。
【００１１】
この目的は、前記基地局が、同時にそれぞれの最大送信電力レベルで信号を伝送しないように前記基地局を同期化することからなるステップを含む方法によって達成される。
【課題を解決するための手段】
【００１２】
本発明による方法は、
−  セルの各メッシュＭｉに関して、前記セルに位置する基地局への距離ｄｉを決定するステップと、
−  各メッシュＭｉに関して、前記距離ｄｉに応じて送信電力Ｐｉを算出するステップと、
−  各基地局の送信電力Ｐｉを、前記隣接セルの外縁部近くで干渉を最小限に抑える値Ｐｉに動的に調整するステップと、
−  送信電力Ｐｉで、各メッシュＭｉに信号を送信するステップを含む。
【００１３】
好ましくは、メッシュＭｉの算出送信電力Ｐｉは、前記メッシュＭｉのトポグラフィに応じて減衰パラメータによって加重される。
【００１４】
前記減衰パラメータは、ＣＰＣセル配備を設計する時に推定され、かつルックアップテーブルに記憶される。
【００１５】
本発明によれば、セル内の送信電力が、最大レベルに等しい場合、隣接セル内の送信電力は、前記最大レベルよりも低いレベルに調整される。
【００１６】
本発明による方法は、送信電力を、隣接セル内の干渉を制限することに適したレベルに調整する手段を含む基地局によって実施される。
【００１７】
前述の概要、及び以下の詳細な説明は、本発明の代表的な実施態様を説明する添付図面と併せて読むことでより良く理解されるであろう。
【図面の簡単な説明】
【００１８】
【図１】先行技術の課題を概略的に示す。
【図２】セル内に位置する基地局への距離に対する前記セル内の送信電力の配分を概略的に示す。
【図３】本発明による図２の各基地局に関する送信電力制御を概略的に示す。
【図４】本発明の方法による隣接セル内の送信電力の配分の変化を概略的に示す。
【図５】本発明の方法による隣接セル内の送信電力の配分の変化を概略的に示す。
【図６】本発明の方法による隣接セル内の送信電力の配分の変化を概略的に示す。
【発明を実施するための形態】
【００１９】
本発明は、少なくとも１つの無線電気通信網によってカバーされる複数の隣接セルを含む地理的エリア８内でコグニティブパイロットチャネル（ＣＰＣ）を送信する基地局に応用する場合の説明である。
【００２０】
説明を簡略化するために地理的エリア８の３つのセル２、４及び６のみを表す。
本発明及び先行技術の図に共通する要素を示すものには、同一の参照符号が使用される。
【００２１】
基地局の近くに位置するメッシュへのコグニティブパイロットチャネルコンテンツの伝送は、基地局によってカバーされるセルの外縁部に位置するメッシュへのこのコンテンツの伝送よりも低い電力を必要とする。従って、地理的エリアの全メッシュに同じ電力でコグニティブパイロットチャネルコンテンツを送信する代わりに、地理的エリア８内でユーザ装置により生じると思われる経路損失を考慮して、電力は前記メッシュ間で分配される。
【００２２】
図２で、送信電力のレベルを表す線２０の太さは、基地局からの距離が増加するにつれ、増す。これは、セル群の外縁部に位置するメッシュにＣＰＣチャネルを送信するために、最大電力が使用されることを意味する。これらのメッシュ内で干渉を回避するために、各基地局１０、１４及び１８の送信電力は図３に示すように制御される。図３はセルの全メッシュが必要とする期間Ｄにおける基地局１０、１４及び１８の送信電力Ｐの時間による変化を表す。
【００２３】
時間Ｔ０で、基地局１０、１４及び１８の送信電力は、それぞれレベルＰ１、Ｐ２及びＰ３に調整される。レベルＰ１、Ｐ２及びＰ３は、セルの外縁部に位置するＵＥが、前記セルに属するメッシュに伝送された信号のみを受信するように算出される。
【００２４】
時間Ｔ１＝Ｄ／３で、基地局１０、１４及び１８の送信電力は、セルの外縁部での干渉を回避するように算出されるレベルＰ’１、Ｐ’２及びＰ’３にそれぞれ自動的に調整される。
【００２５】
時間Ｔ２＝２Ｄ／３で、基地局１０の送信電力はＰ’１に、基地局１４の送信電力はＰ’２に、基地局１８の送信電力はＰ’３に調整される。Ｐ’１、Ｐ’２及びＰ’３は、各セル内での基地局への距離及び各セル内での伝送環境の変化に従って自動的に決められる。
【００２６】
Ｔ３＝Ｄで、基地局１０、１４及び１８の送信電力は、Ｔ０での送信電力と同一である。
【００２７】
図４、図５及び図６は、セル２、４及び６内のＴ０、Ｔ１及びＴ３での送信電力の形状をそれぞれ示す。
【図１】
2012532482.tif 000003
【図２】
2012532482.tif 000004
【図３】
2012532482.tif 000005
【図４】
2012532482.tif 000006
【図５】
2012532482.tif 000007
【図６】
2012532482.tif 000008
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
少なくとも２つの異なる基地局から無線電気通信網の隣接セルに位置するユーザ装置にパイロットチャネルを介して送信される信号の送信電力を調整する方法であって、前記各隣接セルが複数のメッシュＭｉを含み、前記メッシュへの前記信号の送信電力が様々なレベルに調整可能な方法であって、
前記基地局が、同時にそれぞれの最大送信電力レベルで前記信号を伝送しないように前記基地局を同期化するステップと、
調整した電力により前記信号を送信するステップを含む方法。
【請求項２】
信号の前記送信電力が、階段状に調整される請求項１に記載の方法。
【請求項３】
信号の前記送信電力が、最小レベルから最大レベルの間の様々なレベルに調整可能である請求項１又は２に記載の方法。
【請求項４】
−  セルの各メッシュＭｉから、前記隣接セルのいずれかに位置する基地局への距離ｄｉを決定するステップと、
−  前記距離ｄｉに従って、各メッシュＭｉの送信電力Ｐｉを算出するステップと、
−  各基地局の送信電力Ｐｉを、隣接セルの外縁部近くで干渉を最小限に抑える値に動的に調整するステップと、
−  前記送信電力Ｐｉで、各メッシュＭｉに前記信号を送信するステップを更に含む請求項１、２又は３に記載の方法。
【請求項５】
前記信号が、利用可能なオペレータ及び／又は無線アクセス技術（ＲＡＴ）及び／又は利用可能な周波数を含む請求項１、２、３又は４に記載の方法。
【請求項６】
前記信号が、コグニティブパイロットチャネルを通して送信される請求項１、２、３、４又は５に記載の方法。
【請求項７】
前記送信電力Ｐｉが、前記距離ｄｉに反比例する請求項４、５又は６に記載の方法。
【請求項８】
メッシュＭｉの算出送信電力Ｐｉが、前記メッシュＭｉのトポグラフィに応じて減衰パラメータが加重される請求項４、５又は６に記載の方法。
【請求項９】
減衰パラメータが、ＣＰＣセル配備を設計する時に推定され、かつルックアップテーブルに記憶される請求項８に記載の方法。
【請求項１０】
セル内の信号の送信電力が、最大レベルに等しい場合、隣接セル内の信号の送信電力が、前記最大レベルよりも低いレベルに調整される請求項３に記載の方法。
【請求項１１】
無線電機通信網においてそれぞれが複数のメッシュＭｉを含む隣接セルに位置するユーザ端末にパイロットチャネルを介して信号を送信する基地局であって、
前記メッシュへの前記信号の送信電力を様々なレベルに調整可能であり、当該信号の送信電力を調整する手段と、
第２基地局が、最大送信電力で信号を送信する時に、前記基地局が、最大送信電力で信号を伝送しないように前記基地局を同期化する手段と、
調整した電力により前記信号を送信する手段とを含む基地局。
【請求項１２】
信号の前記送信電力が、階段状に調整される請求項１１に記載の基地局。
【請求項１３】
前記基地局及び前記第２基地局が、各々異なるセルに位置し、かつ前記セルが、隣接して位置する請求項１１又は１２に記載の基地局。
【請求項１４】
信号の送信電力を調整する手段を更に含み、
前記信号の前記送信電力が、最小レベルから最大レベルの間の様々なレベルに調整可能である請求項１１、１２又は１３に記載の基地局。
【請求項１５】
−  セルの各メッシュＭｉから、前記隣接セルのいずれかに位置する基地局への距離ｄｉを決定する手段と、
−  前記距離ｄｉに従って、各メッシュＭｉの送信電力Ｐｉを算出する手段と、
−  各基地局の送信電力Ｐｉを、隣接セルの外縁部近くで干渉を最小限に抑える値に動的に調整する手段と、
−  前記送信電力Ｐｉで、各メッシュＭｉに前記信号を送信する手段とを更に含む請求項１１、１２、１３又は１４に記載の基地局。
【請求項１６】
前記信号が、利用可能なオペレータ及び／又は無線アクセス技術（ＲＡＴ）及び／又は利用可能な周波数を含む請求項１１、１２、１３、１４又は１５に記載の基地局。
【請求項１７】
前記信号が、コグニティブパイロットチャネルを通して送信される請求項１１、１２、１３、１４、１５又は１６に記載の基地局。
【国際調査報告】
2012532482.tif 000009
2012532482.tif 000010
2012532482.tif 000011